【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
遊技球が所定の始動口に入賞した場合に、当否判定を実行可能な当否判定手段と、
決定された変動時間にわたって図柄を変動表示した後で、前記当否判定手段による当否判定の結果に対応した図柄を停止表示可能な図柄表示手段と、
前記当否判定手段が当否判定を実行する前に、該当否判定の結果を先読みする先読み手段と、
所定の先読み予告条件が成立した場合に、遊技者にとって有利な当否判定の結果となることを遊技者に期待させるための先読み予告を行うことが可能な先読み予告手段と、
前記始動口に遊技球が入賞した場合に、保留数に一を加算するとともに前記当否判定の実行を保留することが可能な保留手段と、
前記先読み手段によって先読みされた結果を用いずに前記当否判定手段による当否判定の結果に基づいて前記変動時間を決定する変動時間決定手段と、
前記保留数に応じた変動時間が定められた複数のデータからなる第一の特定用データが少なくとも記憶された記憶手段と、
を備えた遊技台であって、
前記保留手段は、保留数が一以上である場合に前記図柄の変動表示が一回行われる度に該保留数から一を減算することが可能なものであり、
前記記憶手段は、保留数に応じずに前記変動時間が定められたデータを少なくとも含む複数のデータからなる第二の特定用データも記憶したものであり、
前記変動時間決定手段は、前記第一の特定用データおよび前記第二の特定用データのうちの一方の特定用データに含まれるデータを少なくとも用いて前記変動時間を決定することが可能なものであり、
前記先読み予告条件は、所定の条件が充足された場合に、成立するものであり、
前記所定の条件は、前記先読みの対象となった当否判定の結果に基づいて行われる変動表示の時間が前記第二の特定用データを用いて決定されることになる場合に充足され、
前記変動時間決定手段は、所定の乱数抽選に当選した場合に、前記第二の特定用データに含まれるデータを用いて前記変動表示の時間を決定可能なものである
ことを特徴とする遊技台。
【請求項２】
請求項１に記載の遊技台において、
前記保留手段は、前記当否判定手段による当否判定が行われる際に、前記保留数から一を減算するものである
ことを特徴とする遊技台。
【請求項３】
請求項１または２に記載の遊技台において、
前記先読み予告条件は、前記所定の条件とは別の条件が充足された場合にも成立する
ことを特徴とする遊技台。
【請求項４】
請求項１乃至３のいずれかに記載の遊技台において、
前記始動口への入賞があったか否かを判定する第一の判定手段を少なくとも含む第一の制御手段と、
前記先読み予告を行うか否かを判定する第二の判定手段を少なくとも含む第二の制御手段と、を備え、
前記第一の制御手段と前記第二の制御手段は別基板に設けられており、
前記第一の制御手段から受信したコマンドに基づいて、前記第二の判定手段は前記先読み予告を行うか否かを判定する
ことを特徴とする遊技台。
【請求項５】
請求項１乃至４のいずれかに記載の遊技台において、
前記コマンドは、前記当否判定に用いられる情報に基づいて少なくとも生成される
ことを特徴とする遊技台。
【請求項６】
請求項５に記載の遊技台において、
前記コマンドは、前記変動時間決定手段が前記第一の特定用データおよび前記第二の特定用データのうちのいずれの特定用データに含まれるデータを用いるかを決定するための情報に基づいて生成される場合がある
ことを特徴とする遊技台。
【手続補正２】
【補正対象書類名】明細書
【補正対象項目名】０００９
【補正方法】変更
【補正の内容】
【０００９】
上記目的を解決する本発明の遊技台は、遊技球が所定の始動口に入賞した場合に、当否判定を実行可能な当否判定手段と、
決定された変動時間にわたって図柄を変動表示した後で、前記当否判定手段による当否判定の結果に対応した図柄を停止表示可能な図柄表示手段と、
前記当否判定手段が当否判定を実行する前に、該当否判定の結果を先読みする先読み手段と、
所定の先読み予告条件が成立した場合に、遊技者にとって有利な当否判定の結果となることを遊技者に期待させるための先読み予告を行うことが可能な先読み予告手段と、
前記始動口に遊技球が入賞した場合に、保留数に一を加算するとともに前記当否判定の実行を保留することが可能な保留手段と、
前記先読み手段によって先読みされた結果を用いずに前記当否判定手段による当否判定の結果に基づいて前記変動時間を決定する変動時間決定手段と、
前記保留数に応じた変動時間が定められた複数のデータからなる第一の特定用データが少なくとも記憶された記憶手段と、
を備えた遊技台であって、
前記保留手段は、保留数が一以上である場合に前記図柄の変動表示が一回行われる度に該保留数から一を減算することが可能なものであり、
前記記憶手段は、保留数に応じずに前記変動時間が定められたデータを少なくとも含む複数のデータからなる第二の特定用データも記憶したものであり、
前記変動時間決定手段は、前記第一の特定用データおよび前記第二の特定用データのうちの一方の特定用データに含まれるデータを少なくとも用いて前記変動時間を決定することが可能なものであり、
前記先読み予告条件は、所定の条件が充足された場合に、成立するものであり、
前記所定の条件は、前記先読みの対象となった当否判定の結果に基づいて行われる変動表示の時間が前記第二の特定用データを用いて決定されることになる場合に充足され、
前記変動時間決定手段は、所定の乱数抽選に当選した場合に、前記第二の特定用データに含まれるデータを用いて前記変動表示の時間を決定可能なものである
ことを特徴とする。
【手続補正３】
【補正対象書類名】明細書
【補正対象項目名】０４３７
【補正方法】変更
【補正の内容】
【０４３７】
さらに、ここでの遊技台において、上記予告報知決定手段は、上記予告報知を行うか否かを決定する際に参照する上記先読み手段が判定した抽選結果が、遊技者に付与する利益量が相対的に小さな利益量になる抽選結果である場合には、遊技者に付与する利益量が相対的に大きな利益量になる抽選結果である場合よりも、上記予告報知を行うことを決定する可能性が高いものであってもよい。
【手続補正４】
【補正対象書類名】明細書
【補正対象項目名】０４５６
【補正方法】変更
【補正の内容】
【０４５６】
（付記７）
遊技球が所定の始動口に入賞したことに基づいて、遊技者に付与する利益量の抽選を行う抽選手段と、
決定された変動時間にわたって図柄を変動表示した後に前記抽選手段による抽選結果を表す図柄を停止表示する図柄変動停止表示を実行する図柄表示手段と、
前記抽選手段が抽選を行う前に、該抽選の結果がどのような抽選結果になるかの判定を行う先読み手段と、
複数の時間のうち、一又は複数の所定時間のみによって構成された特定タイマグループ、および該複数の時間の全部又は一部の複数の時間によって構成された一般タイマグループを含む複数のタイマグループを記憶したタイマグループ記憶部と、
前記タイマグループ記憶部に記憶されている複数のタイマグループの中から一つのタイマグループを、前記抽選手段が抽選を行う前に、前記先読み手段の判定結果および遊技球が所定の始動口に入賞したことに基づいて取得した乱数値に基づいて選択するタイマグループ選択手段と、
前記タイマグループ選択手段が特定タイマグループを選択した場合には、遊技者にとって有利な抽選結果であることを遊技者に期待させる予告情報を含む予告報知を行うか否かについて決定する予告報知決定手段と、
前記予告報知決定手段が前記予告報知を行うと決定した場合に、前記抽選手段が抽選を行う前に、前記予告報知を行なう予告報知手段と、
先に始動口に入賞したことに基づく前記抽選の結果を表す図柄を前記図柄表示手段が停止表示する図柄変動停止表示が終了するまで、後に始動口に入賞したことに基づく前記抽選を保留するとともに保留数に１を加算し、保留数が１以上のときに該図柄変動停止表示が１回行われる度に該保留数から１減算する保留手段と、
前記抽選手段によって前記先読み手段の判定結果を用いずに前記抽選が行われる際に、前記変動時間を決定する変動時間決定手段とを有し、
前記抽選手段が前記抽選を行う前に前記先読み手段の判定結果に基づいて前記タイマグループ選択手段が選択したタイマグループが前記特定タイマグループであった場合には、前記所定時間が前記変動時間として前記変動時間決定手段によって決定され、前記抽選手段が前記抽選を行う前に前記先読み手段の判定結果に基づいて前記タイマグループ選択手段が選択したタイマグループが前記一般タイマグループであった場合には、前記一般タイマグループを構成する複数の時間の中から該抽選手段が抽選を行う際の保留数に応じて前記変動時間決定手段によって前記変動時間が決定されることを特徴とする遊技台。
（付記８）
遊技球が所定の始動口に入賞した場合に、当否判定を実行可能な当否判定手段と、
決定された変動時間にわたって図柄を変動表示した後で、前記当否判定手段による当否判定の結果に対応した図柄を停止表示可能な図柄表示手段と、
前記当否判定手段が当否判定を実行する前に、該当否判定の結果を先読みする先読み手段と、
所定の先読み予告条件が成立した場合に、遊技者にとって有利な当否判定の結果となることを遊技者に期待させるための先読み予告を行うことが可能な先読み予告手段と、
前記始動口に遊技球が入賞した場合に、保留数に一を加算するとともに前記当否判定の実行を保留することが可能な保留手段と、
前記先読み手段によって先読みされた結果を用いずに前記当否判定手段による当否判定の結果に基づいて前記変動時間を決定する変動時間決定手段と、
前記保留数に応じた変動時間が定められた複数のデータからなる第一の特定用データが少なくとも記憶された記憶手段と、
を備えた遊技台であって、
前記保留手段は、保留数が一以上である場合に前記図柄の変動表示が一回行われる度に該保留数から一を減算することが可能なものであり、
前記記憶手段は、保留数に応じずに前記変動時間が定められたデータを少なくとも含む複数のデータからなる第二の特定用データも記憶したものであり、
前記変動時間決定手段は、前記第一の特定用データおよび前記第二の特定用データのうちの一方の特定用データに含まれるデータを少なくとも用いて前記変動時間を決定することが可能なものであり、
前記先読み予告条件は、所定の条件が充足された場合に、成立するものであり、
前記所定の条件は、前記先読みの対象となった当否判定の結果に基づいて行われる変動表示の時間が前記第二の特定用データを用いて決定されることになる場合に充足され、
前記変動時間決定手段は、所定の乱数抽選に当選した場合に、前記第二の特定用データに含まれるデータを用いて前記変動表示の時間を決定可能なものである
ことを特徴とする遊技台。
ここで、前記保留手段は、前記当否判定手段による当否判定が行われる際に、前記保留数から一を減算するものであってもよい。
また、前記先読み予告条件は、前記所定の条件とは別の条件が充足された場合にも成立する態様であってもよい。
また、前記始動口への入賞があったか否かを判定する第一の判定手段を少なくとも含む第一の制御手段と、
前記先読み予告を行うか否かを判定する第二の判定手段を少なくとも含む第二の制御手段と、を備え、
前記第一の制御手段と前記第二の制御手段は別基板に設けられており、
前記第一の制御手段から受信したコマンドに基づいて、前記第二の判定手段は前記先読み予告を行うか否かを判定する態様であってもよい。
さらに、前記コマンドは、前記当否判定に用いられる情報に基づいて少なくとも生成されるコマンドであってもよい。
また、前記コマンドは、前記変動時間決定手段が前記第一の特定用データおよび前記第二の特定用データのうちのいずれの特定用データに含まれるデータを用いるかを決定するための情報に基づいて生成される場合があってもよい。